(57)【要約】地点を設定する地点設定部１１と、地点設定部で設定された地点を表す地点情報であって、該地点の表示の可否を規定する表示可否情報を含む地点情報が登録される地点登録部１２と、地点設定部によって設定された地点の地点情報を地点登録部から取得し、該取得した地点情報に含まれる表示可否情報に基づき、地点情報の表示の可否を判定する制御部１７と、制御部からの指示に応じて、地点設定部で設定された地点の地点情報を表示し、または、非表示にする地点表示部１４を備えている。
2009016783.tif 000002
【特許請求の範囲】
【請求項１】
地点を設定する地点設定部と、
前記地点設定部で設定された地点を表す地点情報であって、該地点の表示の可否を規定する表示可否情報を含む地点情報が登録される地点登録部と、
前記地点設定部によって設定された地点の地点情報を前記地点登録部から取得し、該取得した地点情報に含まれる表示可否情報に基づき、地点情報の表示の可否を判定する制御部と、
前記制御部からの指示に応じて、前記地点設定部で設定された地点の地点情報を表示し、または、非表示にする地点表示部
を備えたナビゲーションシステム。
【請求項２】
地点設定部で設定された目的地までの経路を探索する経路探索部と、
前記経路探索部で探索された経路を表示する経路表示部とを備え、
制御部は、地点設定部によって設定された地点の地点情報を地点登録部から取得し、該取得した地点情報に含まれる表示可否情報に基づき、地点情報を表示不可であると判定した場合に、前記経路探索部で探索された目的地までの経路のうち、前記地点設定部で設定された目的地から所定距離の範囲に存在する経路を非表示にするように前記経路表示部に指示する
ことを特徴とする請求項１記載のナビゲーションシステム。
【請求項３】
前記経路探索部で探索された経路に沿って案内を行う経路案内部を備え、
制御部は、地点設定部によって設定された地点の地点情報を地点登録部から取得し、該取得した地点情報に含まれる表示可否情報に基づき、地点情報を表示不可であると判定した場合に、前記経路探索部で探索された目的地までの経路のうち、前記地点設定部で設定された目的地から所定距離の範囲に存在する経路の案内を行わないように前記経路案内部に指示する
ことを特徴とする請求項２記載のナビゲーションシステム。
【請求項４】
乱数を発生させる乱数発生部を備え、
制御部は、前記乱数発生部で発生された乱数にしたがって目的地から所定距離の範囲を決定する
ことを特徴とする請求項２記載のナビゲーションシステム。
【請求項５】
案内不要エリアを設定する案内不要エリア設定部を備え、
制御部は、前記案内不要エリア設定部による設定にしたがって、目的地から所定距離の範囲を決定する
ことを特徴とする請求項２記載のナビゲーションシステム。
【請求項６】
地点登録部に登録される地点情報は、自宅または自宅以外の地点を表す情報である
ことを特徴とする請求項１記載のナビゲーションシステム。
【請求項７】
パスワードを入力するパスワード入力部と、
地点登録部に登録されている地点情報を編集する地点情報編集部とを備え、
制御部は、前記パスワード入力部から入力されたパスワードが正当である場合に、前記地点情報編集部による編集を可能にする
ことを特徴とする請求項１記載のナビゲーションシステム。
【請求項８】
携帯電話を接続する携帯電話接続部を備え、
制御部は、前記携帯電話接続部に接続された携帯電話が予め登録された携帯電話である場合は、地点設定部によって設定された地点に対応する地点情報の表示を常に可と判定する
ことを特徴とする請求項１記載のナビゲーションシステム。
【発明の詳細な説明】
【技術分野】
【０００１】
この発明は、ユーザを目的地まで案内するナビゲーションシステムに関し、特にナビゲーションシステムに登録されている個人情報を保護する技術に関する。
【背景技術】
【０００２】
従来のナビゲーションシステムは、自宅を特別な登録地として登録しておき、例えば、旅行先において、登録されている自宅を目的地に設定して復路の経路探索を行う機能を有し、ユーザは、この探索された経路にしたがった経路案内を受けながら自宅まで走行するということが行われている。【０００３】
このような機能を実現するために、例えば、特許文献１は、携帯通信端末の現在位置を目的地とするナビゲーション手段を有するカーナビゲーションシステムを開示している。このカーナビゲーションシステムは、通信ネットワークと、管理センタと、ＧＰＳ付の携帯通信端末と、カーナビゲーション装置とを備え、カーナビゲーション装置および携帯通信端末において装置識別情報または端末識別情報を管理センタに登録し、カーナビゲーション装置は探索時に、端末識別情報を入力して管理センタに携帯通信端末の探索を要求し、管理センタは登録の有無を確認し、登録された携帯通信端末の相手方に探索の通知を行い、探索を承諾する携帯通信端末は現在位置情報をカーナビゲーション装置に送信し、カーナビゲーション装置は携帯通信端末の現在位置を目的地とする経路案内を行う。【０００４】
【特許文献１】特開２００６−１８４０８３号公報
【０００５】
上述した従来のナビゲーションシステムでは、復路の経路を探索するために自宅を目的地として設定する操作、または、登録地確認などのメニュー操作によって、自宅の所在地が詳細に表示される。【０００６】
ところで、昨今は、個人情報の保護は重要な技術課題の１つとなっている。上記のように構成される従来のナビゲーションシステムを搭載した車両が盗難に合った場合、その車両の持ち主の所在地まで把握されてしまう。その結果、自宅への侵入などといった二次被害に遭う可能性が高くなるばかりか、友人宅として登録されている情報を手がかりに、交友関係の情報なども抜き取られてしまう。【０００７】
一方、情報を秘匿する方法として、従来から一般的に用いられてきたパスワードロックが知られている。パスワードロックは、システムにアクセスする際、パスワードなどの鍵となる情報を用いて認証を行う方法である。この方法は広く利用されており、情報秘匿の効果は高いが、アクセスのたびにパスワードを入力するなどの煩雑な操作を必要とし、また、高齢者などといったコンピュータ操作に不慣れな人にとっては難しい操作である。【０００８】
この発明は、上述した問題を解消するためになされたものであり、その課題は、煩雑な操作を行うことなく、内部に登録されている個人情報を保護することができるナビゲーションシステムを提供することにある。
【発明の開示】
【０００９】
この発明に係るナビゲーションシステムは、上記課題を解決するために、地点を設定する地点設定部と、地点設定部で設定された地点を表す地点情報であって、該地点の表示の可否を規定する表示可否情報を含む地点情報が登録される地点登録部と、地点設定部によって設定された地点の地点情報を地点登録部から取得し、該取得した地点情報に含まれる表示可否情報に基づき、地点情報の表示の可否を判定する制御部と、制御部からの指示に応じて、地点設定部で設定された地点の地点情報を表示し、または、非表示にする地点表示部を備えている。
【００１０】
この発明に係るナビゲーションシステムによれば、地点の表示の可否を規定する表示可否情報を含む地点情報を登録しておき、例えば、ある地点が目的地として設定された場合に、その地点の地点情報の表示の可否を、登録されている表示可否情報に基づき判定し、この判定結果に応じて、設定された地点の地点情報を表示し、または、非表示にするように構成したので、例えば自宅に対応する地点情報に含まれる表示可否情報を「表示不可」に設定しておけば、自宅位置が表示されることはない。その結果、煩雑な操作を行うことなく、内部に登録されている個人情報を保護することができる。
【図面の簡単な説明】
【００１１】
【図１】この発明の実施の形態１に係るナビゲーションシステムの構成を示すブロック図である。
【図２】この発明の実施の形態１に係るナビゲーションシステムの地点登録部に登録される地点情報の例を示す図である。
【図３】この発明の実施の形態１に係るナビゲーションシステムの動作を説明するための図である。
【図４】この発明の実施の形態２に係るナビゲーションシステムの構成を示すブロック図である。
【図５】この発明の実施の形態３に係るナビゲーションシステムの構成を示すブロック図である。
【図６】この発明の実施の形態４に係るナビゲーションシステムの構成を示すブロック図である。
【図７】この発明の実施の形態５に係るナビゲーションシステムの構成を示すブロック図である。
【発明を実施するための最良の形態】
【００１２】
以下、この発明をより詳細に説明するために、この発明を実施するための最良の形態について、添付の図面に従って説明する。
実施の形態１．
図１は、この発明の実施の形態１に係るナビゲーションシステムの構成を示すブロック図である。このナビゲーションシステムは、地点設定部１１、地点登録部１２、経路探索部１３、地点表示部１４、経路表示部１５、経路案内部１６および制御部１７を備えている。【００１３】
地点設定部１１は、例えばリモートコントローラ、タッチパネルまたはキーボードといった入力装置から構成されており、ユーザが目的地、経由地、その他の地点を設定するために使用される。この地点設定部１１で設定された地点を表すデータは、制御部１７に送られる。【００１４】
地点登録部１２は、例えば不揮発性のメモリから構成されており、地点に関する地点情報を記憶する。図２は、地点登録部１２に登録される地点情報の例を示す図である。地点情報は、地点の「名称」、「位置」、「アイコン」、「付加」および「表示可否」といった情報を含む。【００１５】
「名称」は、例えば、自宅、友人宅、親類宅または頻繁に訪れる店舗などといった地点の名称を表すデータから構成されている。「位置」は、地点の緯度および経度を表すデータから構成されている。「アイコン」は、地点を地図上に表示する際のアイコンを指定するデータから構成されている。「付加」は、例えば、地点に関連する携帯電話のメールアドレスといった、地点に関連する付加的なデータから構成されている。「表示可否」は、地点の表示の可否を規定するデータから構成されている。【００１６】
経路探索部１３は、制御部１７からの指示に応答して、出発地（例えば現在地または地点設定部１１で設定された地点）から地点設定部１１で設定された目的地までの経路を探索する。この経路探索部１３において探索された経路を表すデータは、制御部１７に送られる。地点表示部１４は、例えばディスプレイ装置、および、その制御部から構成されており、制御部１７からの指示に応じて、地点設定部１１で設定された地点の地点情報を表示し、または、非表示にする。【００１７】
経路表示部１５は、例えばディスプレイ装置、および、その制御部から構成されており、制御部１７からの指示に応じて、経路探索部１３で探索された経路を表示し、または、非表示にする。なお、経路が非表示にされた場合であっても、ディスプレイ装置の画面には、地図および自車位置マークは表示される。この経路表示部１５を構成するディスプレイ装置は、上述した地点表示部１４を構成するディスプレイ装置と共用することができる。【００１８】
経路案内部１６は、例えばスピーカ、ディスプレイ装置、および、これらの制御部から構成されており、制御部１７からの指示に応じて、経路探索部１３で探索された経路に沿った経路案内（具体的には、スピーカからの案内音声の出力およびディスプレイ装置への案内メッセージの表示）を行い、または、経路案内を中止する。なお、経路案内が中止された場合であっても、ディスプレイ装置には、地図および自車位置マークは表示される。この経路案内部１６を構成するディスプレイ装置は、上述した地点表示部１４を構成するディスプレイ装置と共用することができる。【００１９】
制御部１７は、例えばマイクロコンピュータから構成されており、上述した各構成要素を制御することにより、ナビゲーションシステムの全体を制御する。この制御部１７で行われる処理の詳細は、以下で説明する。【００２０】
次に、上記のように構成される、この発明の実施の形態１に係るナビゲーションシステムの動作を、自宅の表示可否を制御する場合を例に挙げて説明する。【００２１】
まず、ユーザは自宅を登録する。すなわち、ユーザは、地点設定部１１を使用して、自宅の住所を入力したり、地図をスクロールさせて自宅の位置を指定したりといった従来のナビゲーションシステムと同様の周知の方法を用いて、自宅を地点登録部１２に登録する。この際、ユーザは、自宅の名称、位置、アイコンおよび付加情報に加え、表示可否の情報を登録する。【００２２】
次に、ユーザが自宅を目的地として設定する場合の動作を説明する。上述したようにして自宅が地点登録部１２に登録されている状態において、地点登録部１２に、表示可否情報として「表示不可」が登録されているものとすると、ナビゲーションシステムの目的地設定のメニュー画面上では、「自宅」という記号のみが表示される。【００２３】
具体的には、制御部１７は、地点設定部１１によって設定された地点の地点情報を地点登録部１２から取得し、この取得した地点情報に含まれる表示可否情報に基づき、地点情報を表示不可であると判定した場合に、地点設定部１１で設定された地点の地点情報を非表示にするように地点表示部１４に指示する。これにより、地点表示部１４は、具体的な自宅に関する地点情報を表示しない。【００２４】
一方、地点登録部１２に、表示可否情報として「表示可」が登録されていると、従来のナビゲーションシステムと同様に、制御部１７は、地点情報を表示するように地点表示部１４に指示する。これに応じて、地点表示部１４は、具体的な自宅に関する地点情報を表示する。【００２５】
次に、ユーザが目的地を設定してナビゲーションシステムの案内を受けながら走行する場合の動作を説明する。この場合、まず、経路探索が行われる。すなわち、経路探索部１３は、制御部１７からの指示に応答して、出発地（例えば現在地または地点設定部１１で設定された地点）から、地点設定部１１で設定された目的地までの経路を探索し、経路データとして制御部１７に送る。【００２６】
次いで、経路表示および経路案内が行われる。すなわち、制御部１７は、地点設定部１１によって設定された地点の地点情報を地点登録部１２から取得し、該取得した地点情報に含まれる表示可否情報に基づき、地点情報を表示不可であると判定した場合に、経路探索部１３で探索された目的地までの経路のうち、地点設定部１１で設定された目的地から所定距離の範囲に存在する経路を非表示にするように経路表示部１５に指示する。これにより、図３に示すように、自宅から所定距離（例えば３０ｋｍ）の範囲内の経路は、破線で示すように、非表示とされる。【００２７】
一方、地点登録部１２に、表示可否情報として「表示可」が登録されていると、従来のナビゲーションシステムと同様に、制御部１７は、全ての経路を表示するように経路表示部１５に指示する。これにより、全ての経路が表示される。【００２８】
また、制御部１７は、地点登録部１２から取得した地点情報に含まれる表示可否情報に基づき、地点情報を表示不可であると判定した場合に、経路探索部１３で探索された目的地までの経路のうち、地点設定部１１で設定された目的地から所定距離の範囲に存在する経路の案内を中止するように経路案内部１６に指示する。これにより、図３に破線で示す自宅から所定距離（例えば３０ｋｍ）の範囲内の経路では、経路案内が行われない。【００２９】
一方、地点登録部１２に、表示可否情報として「表示可」が登録されていると、従来のナビゲーションシステムと同様に、制御部１７は、全ての経路で経路案内を行うように経路案内部１６に指示する。これにより、全ての経路で経路案内が行われる。【００３０】
以上説明したように、この発明の実施の形態１に係るナビゲーションシステムによれば、次の効果を奏する。すなわち、ユーザは、一般に、自宅周辺の地理には明るいので、自宅の近傍の道路の案内は不要である。出先から自宅に帰る際は、自宅周辺のユーザにとって既知のエリアに入るまで案内するだけで十分であり、その後の案内を停止することで個人情報が表示されないようにすることができる。【００３１】
なお、上述した実施の形態１に係るナビゲーションシステムにおいて、地点設定部１１で設定された目的地から所定距離の範囲を決定する場合に、所定距離は固定値ではなく、例えば単位面積あたりの道路の数を算出することにより、都会であるか田舎であるかを判断し、都会であることが判断された場合は所定距離を短くし、田舎であることが判断された場合は所定距離を長くするように構成することができる。【００３２】
実施の形態２．
この発明の実施の形態２に係るナビゲーションシステムは、実施の形態１に係るナビゲーションシステムにおいて、自宅から所定距離の範囲に揺らぎを与えるようにしたものである。【００３３】
図４は、この発明の実施の形態２に係るナビゲーションシステムの構成を示すブロック図である。このナビゲーションシステムは、図１に示した実施の形態１に係るナビゲーションシステムに、乱数発生部１８が追加されて構成されている。乱数発生部１８は、制御部１７からの指示に応じて乱数を発生し、制御部１７に返す。制御部１７は、乱数発生部１８で発生された乱数にしたがって目的地から所定距離の範囲を決定する。【００３４】
より詳しくは、制御部１７は、地点設定部１１によって設定された地点の地点情報を地点登録部１２から取得し、該取得した地点情報に含まれる表示可否情報に基づき、地点情報を表示不可であると判定した場合に、乱数発生部１８に乱数発生の指示を送る。そして、この指示に応答して、乱数発生部１８で発生された乱数を受け取り、経路探索部１３で探索された目的地までの経路のうち、地点設定部１１で設定された目的地から乱数で示される距離の範囲に存在する経路を非表示にするように経路表示部１５に指示する。【００３５】
同様に、制御部１７は、地点登録部１２から取得した地点情報に含まれる表示可否情報に基づき、地点情報を表示不可であると判定した場合に、経路探索部１３で探索された目的地までの経路のうち、地点設定部１１で設定された目的地から乱数で示される距離の範囲に存在する経路の案内を中止するように経路案内部１６に指示する。【００３６】
以上の構成により、経路を非表示にする範囲および経路案内を中止する範囲は、乱数にしたがった可変範囲となり、揺らぎを有する。このように、目的地（自宅）からの直線距離を固定値とせず、乱数による幅を持たせることによって、秘匿された自宅位置の類推を困難にすることができる。【００３７】
すなわち、上述した実施の形態１に係るナビゲーションシステムでは、様々な方向から経路案内をさせることによって、複数の案内終了地点を確認することができる。これを繰り返すと、複数の案内終了地点から等しい距離に秘匿された自宅位置が存在することを類推することが可能になる。これに対し、実施の形態２に係るナビゲーションシステムによれば、案内終了地点に揺らぎを与えることができるので、中心部の類推が困難になる。その結果、自宅位置が類推される可能性を低くすることができる。【００３８】
実施の形態３．
この発明の実施の形態３に係るナビゲーションシステムは、実施の形態１に係るナビゲーションシステムにおける自宅から所定距離の範囲の代わりに、案内不要エリアを任意に設定できるようにしたものである。【００３９】
図５は、この発明の実施の形態３に係るナビゲーションシステムの構成を示すブロック図である。このナビゲーションシステムは、図１に示した実施の形態１に係るナビゲーションシステムに、案内不要エリア設定部１９が追加されて構成されている。【００４０】
案内不要エリア設定部１９は、実施の形態１に係るナビゲーションシステムにおける自宅から所定距離の範囲の代わりに、地図上において任意の形状を有する案内不要エリアを設定する。この案内不要エリア設定部１９で設定された案内不要エリアを表すデータは制御部１７に送られる。制御部１７は、案内不要エリア設定部１９で設定された案内不要エリアを目的地から所定距離の範囲として処理を行う。【００４１】
より詳しくは、制御部１７は、地点設定部１１によって設定された地点の地点情報を地点登録部１２から取得し、該取得した地点情報に含まれる表示可否情報に基づき、地点情報を表示不可であると判定した場合に、案内不要エリア設定部１９に対して案内不要エリアを設定するように指示する。そして、この指示に応答して、案内不要エリア設定部１９で案内不要エリアが設定されると、この設定された案内不要エリアを表すデータを受け取り、経路探索部１３で探索された目的地までの経路のうち、案内不要エリアに存在する経路を非表示にするように経路表示部１５に指示する。【００４２】
同様に、制御部１７は、地点登録部１２から取得した地点情報に含まれる表示可否情報に基づき、地点情報を表示不可であると判定した場合に、経路探索部１３で探索された目的地までの経路のうち、地点設定部１１で設定された目的地から案内不要エリアに存在する経路の案内を中止するように経路案内部１６に指示する。【００４３】
以上の構成により、経路を非表示にする範囲および経路案内を中止する範囲は、案内不要エリアとしてユーザが任意に設定することにより、自宅位置が複数の案内終了地点で示されるエリアの中心に存在しないように設定することができ、秘匿された自宅位置の類推を困難にすることができる。【００４４】
なお、上述した実施の形態１〜実施の形態３に係るナビゲーションシステムにおいては、地点登録部１２に自宅が登録されており、この自宅が目的地として設定された場合について説明したが、自宅以外、例えば友人宅、実家などといったユーザに関連のある地点が地点登録部１２に登録されており、この自宅以外が目的地として設定された場合についても、実施の形態１〜実施の形態３と同様の表示制御を行うように構成することができる。この構成の場合も、自宅以外の位置に関する情報を秘匿することができる。【００４５】
実施の形態４．
この発明の実施の形態４に係るナビゲーションシステムは、実施の形態１に係るナビゲーションシステムにおいて、地点登録部１２に登録されている地点情報を編集可能にしたものである。【００４６】
図６は、この発明の実施の形態４に係るナビゲーションシステムの構成を示すブロック図である。このナビゲーションシステムは、図１に示した実施の形態１に係るナビゲーションシステムに、パスワード入力部２０および地点情報編集部２１が追加されて構成されている。パスワード入力部２０は、例えばリモートコントローラ、タッチパネルまたはキーボードといった入力装置から構成されており、ユーザがパスワードを入力するために使用される。このパスワード入力部２０で入力されたパスワードは制御部１７に送られる。【００４７】
地点情報編集部２１は、図示しない入力装置からの指示に応じて、地点登録部１２に登録されている地点情報を編集する。この地点情報編集部２１により、地点情報を構成する「名称」、「位置」、「アイコン」、「付加」および「表示可否」の情報を編集することが可能になる。【００４８】
上記のように構成されるナビゲーションシステムにおいて、制御部１７は、パスワード入力部２０からパスワードが入力されると、パスワードの正当性をチェックする。そして、パスワードが正当であることを判断した場合に、地点情報編集部２１を起動し、地点登録部１２に登録されている地点情報の編集を可能にする。【００４９】
以上説明したように、実施の形態４に係るナビゲーションシステムによれば、パスワードを知っているユーザは、所望のタイミングで、地点情報に含まれる表示可否情報を、表示不可から表示可に、または、表示可から表示不可に変更することができるので、地点登録部１２に登録されている地点情報によって示される地点の秘匿およびその解除を自由に行うことができる。その一方、パスワードを知らないユーザは、表示可否情報を変更することができないので、自宅位置の秘匿性が担保される。【００５０】
実施の形態５．
この発明の実施の形態５に係るナビゲーションシステムは、実施の形態１に係るナビゲーションシステムにおいて、携帯電話のＢｌｕｅｔｏｏｔｈ（登録商標）機能で使用されるアドレスが予め登録されたアドレスであれば、地点登録部１２に登録されている地点情報の表示可否情報を表示可として処理するようにしたものである。【００５１】
図７は、この発明の実施の形態５に係るナビゲーションシステムの構成を示すブロック図である。このナビゲーションシステムは、図１に示した実施の形態１に係るナビゲーションシステムに、携帯電話接続部２２が追加されて構成されている。【００５２】
携帯電話接続部２２は、Ｂｌｕｅｔｏｏｔｈ機能を有する携帯電話２３との間でＢｌｕｅｔｏｏｔｈによる通信を行う。また、携帯電話接続部２２は、携帯電話２３から、Ｂｌｕｅｔｏｏｔｈ機能で使用されるアドレスを取得する。この携帯電話接続部２２で取得されたアドレスは、制御部１７に送られる。【００５３】
上記のように構成されるナビゲーションシステムにおいて、制御部１７は、携帯電話接続部２２からＢｌｕｅｔｏｏｔｈ機能で使用されるアドレスを取得し、そのアドレスが予め自己の内部に登録されているアドレスと一致するかどうかを調べる。そして一致することを判断した場合に、地点登録部１２に登録されている地点情報に含まれる表示可否情報を表示可として、つまり、秘匿性を解除して、上述した実施の形態１〜実施の形態３に係るナビゲーションシステムで説明した処理を実行する。【００５４】
以上説明したように、実施の形態５に係るナビゲーションシステムによれば、携帯電話２３のＢｌｕｅｔｏｏｔｈ機能で使用されるアドレスが予め登録されているアドレスに一致した場合に、地点登録部１２に登録されている地点情報によって示される表示可否情報が表示可として扱われるので、携帯電話２３を、携帯電話接続部２２を介して接続することにより、秘匿性を解除することができる。その一方、Ｂｌｕｅｔｏｏｔｈ機能で使用されるアドレスが予め記憶されているアドレスと一致しない場合は、表示可否情報にしたがって自宅位置および経路の表示ならびに経路案内が制御されるので、自宅位置の秘匿性を担保することができる。【００５５】
なお、上述した実施の形態４に係るナビゲーションシステムにおいて、パスワードによる認証を行う代わりに、Ｂｌｕｅｔｏｏｔｈ機能で使用されるアドレスで正当性をチェックし、正当であることが判断された場合に、地点登録部１２に登録されている地点情報を編集可能にするように構成することもできる。
【産業上の利用可能性】
【００５６】
以上のように、この発明に係るナビゲーションシステムは、地点の表示の可否を規定する表示可否情報を含む地点情報を登録しておくことで、煩雑な操作を行うことなく、内部に登録されている個人情報を保護することができるので、車両に搭載されるナビゲーションシステムなどに用いるのに適している。
【図１】
2009016783.tif 000003
【図２】
2009016783.tif 000004
【図３】
2009016783.tif 000005
【図４】
2009016783.tif 000006
【図５】
2009016783.tif 000007
【図６】
2009016783.tif 000008
【図７】
2009016783.tif 000009
【手続補正書】
【提出日】平成21年6月26日(2009.6.26)
【手続補正１】
【補正対象書類名】明細書
【補正対象項目名】全文
【補正方法】変更
【補正の内容】
【書類名】      明細書
【発明の名称】  ナビゲーションシステム
【技術分野】
【０００１】
この発明は、ユーザを目的地まで案内するナビゲーションシステムに関し、特にナビゲーションシステムに登録されている個人情報を保護する技術に関する。
【背景技術】
【０００２】
従来のナビゲーションシステムは、自宅を特別な登録地として登録しておき、例えば、旅行先において、登録されている自宅を目的地に設定して復路の経路探索を行う機能を有し、ユーザは、この探索された経路にしたがった経路案内を受けながら自宅まで走行するということが行われている。
【０００３】
このような機能を実現するために、例えば、特許文献１は、携帯通信端末の現在位置を目的地とするナビゲーション手段を有するカーナビゲーションシステムを開示している。このカーナビゲーションシステムは、通信ネットワークと、管理センタと、ＧＰＳ付の携帯通信端末と、カーナビゲーション装置とを備え、カーナビゲーション装置および携帯通信端末において装置識別情報または端末識別情報を管理センタに登録し、カーナビゲーション装置は探索時に、端末識別情報を入力して管理センタに携帯通信端末の探索を要求し、管理センタは登録の有無を確認し、登録された携帯通信端末の相手方に探索の通知を行い、探索を承諾する携帯通信端末は現在位置情報をカーナビゲーション装置に送信し、カーナビゲーション装置は携帯通信端末の現在位置を目的地とする経路案内を行う。
【０００４】
【先行技術文献】
【特許文献】
【０００５】
【特許文献１】
特開２００６−１８４０８３号公報
【０００６】
上述した従来のナビゲーションシステムでは、復路の経路を探索するために自宅を目的地として設定する操作、または、登録地確認などのメニュー操作によって、自宅の所在地が詳細に表示される。
【０００７】
ところで、昨今は、個人情報の保護は重要な技術課題の１つとなっている。上記のように構成される従来のナビゲーションシステムを搭載した車両が盗難に合った場合、その車両の持ち主の所在地まで把握されてしまう。その結果、自宅への侵入などといった二次被害に遭う可能性が高くなるばかりか、友人宅として登録されている情報を手がかりに、交友関係の情報なども抜き取られてしまう。
【０００８】
一方、情報を秘匿する方法として、従来から一般的に用いられてきたパスワードロックが知られている。パスワードロックは、システムにアクセスする際、パスワードなどの鍵となる情報を用いて認証を行う方法である。この方法は広く利用されており、情報秘匿の効果は高いが、アクセスのたびにパスワードを入力するなどの煩雑な操作を必要とし、また、高齢者などといったコンピュータ操作に不慣れな人にとっては難しい操作である。
【０００９】
この発明は、上述した問題を解消するためになされたものであり、その課題は、煩雑な操作を行うことなく、内部に登録されている個人情報を保護することができるナビゲーションシステムを提供することにある。
【課題を解決するための手段】
【００１０】
この発明に係るナビゲーションシステムは、課題を解決するために、地点を設定する地点設定部と、地点設定部で設定された地点までの経路を探索する経路探索部と、地点設定部で設定された地点を表す地点情報であって、該地点の表示の可否を規定する表示可否情報を含む地点情報が登録される地点登録部と、地点設定部によって設定された地点の地点情報を地点登録部から取得し、該取得した地点情報に含まれる表示可否情報に基づき、地点情報の表示を可否制御し、地点情報を表示不可であるとした場合に、経路探索部で探索された地点までの経路のうち、地点設定部で設定された地点から所定距離の範囲内に存在する経路を非表示にするように制御する制御部とを備えている。
【発明の効果】
【００１１】
この発明に係るナビゲーションシステムによれば、地点の表示の可否を規定する表示可否情報を含む地点情報を登録しておき、例えば、ある地点が目的地として設定された場合に、その地点の地点情報の表示の可否を、登録されている表示可否情報に基づき判定し、この判定結果に応じて、設定された地点の地点情報を表示し、または、非表示にするように構成したので、例えば自宅に対応する地点情報に含まれる表示可否情報を「表示不可」に設定しておけば、自宅位置が表示されることはない。その結果、煩雑な操作を行うことなく、内部に登録されている個人情報を保護することができる。
【図面の簡単な説明】
【００１２】
【図１】  この発明の実施の形態１に係るナビゲーションシステムの構成を示すブロック図である。
【図２】  この発明の実施の形態１に係るナビゲーションシステムの地点登録部に登録される地点情報の例を示す図である。
【図３】  この発明の実施の形態１に係るナビゲーションシステムの動作を説明するための図である。
【図４】  この発明の実施の形態２に係るナビゲーションシステムの構成を示すブロック図である。
【図５】  この発明の実施の形態３に係るナビゲーションシステムの構成を示すブロック図である。
【図６】  この発明の実施の形態４に係るナビゲーションシステムの構成を示すブロック図である。
【図７】  この発明の実施の形態５に係るナビゲーションシステムの構成を示すブロック図である。
【発明を実施するための最良の形態】
【００１３】
以下、この発明をより詳細に説明するために、この発明を実施するための最良の形態について、添付の図面に従って説明する。
実施の形態１．
図１は、この発明の実施の形態１に係るナビゲーションシステムの構成を示すブロック図である。このナビゲーションシステムは、地点設定部１１、地点登録部１２、経路探索部１３、地点表示部１４、経路表示部１５、経路案内部１６および制御部１７を備えている。
【００１４】
地点設定部１１は、例えばリモートコントローラ、タッチパネルまたはキーボードといった入力装置から構成されており、ユーザが目的地、経由地、その他の地点を設定するために使用される。この地点設定部１１で設定された地点を表すデータは、制御部１７に送られる。
【００１５】
地点登録部１２は、例えば不揮発性のメモリから構成されており、地点に関する地点情報を記憶する。図２は、地点登録部１２に登録される地点情報の例を示す図である。地点情報は、地点の「名称」、「位置」、「アイコン」、「付加」および「表示可否」といった情報を含む。
【００１６】
「名称」は、例えば、自宅、友人宅、親類宅または頻繁に訪れる店舗などといった地点の名称を表すデータから構成されている。「位置」は、地点の緯度および経度を表すデータから構成されている。「アイコン」は、地点を地図上に表示する際のアイコンを指定するデータから構成されている。「付加」は、例えば、地点に関連する携帯電話のメールアドレスといった、地点に関連する付加的なデータから構成されている。「表示可否」は、地点の表示の可否を規定するデータから構成されている。
【００１７】
経路探索部１３は、制御部１７からの指示に応答して、出発地（例えば現在地または地点設定部１１で設定された地点）から地点設定部１１で設定された目的地までの経路を探索する。この経路探索部１３において探索された経路を表すデータは、制御部１７に送られる。地点表示部１４は、例えばディスプレイ装置、および、その制御部から構成されており、制御部１７からの指示に応じて、地点設定部１１で設定された地点の地点情報を表示し、または、非表示にする。
【００１８】
経路表示部１５は、例えばディスプレイ装置、および、その制御部から構成されており、制御部１７からの指示に応じて、経路探索部１３で探索された経路を表示し、または、非表示にする。なお、経路が非表示にされた場合であっても、ディスプレイ装置の画面には、地図および自車位置マークは表示される。この経路表示部１５を構成するディスプレイ装置は、上述した地点表示部１４を構成するディスプレイ装置と共用することができる。
【００１９】
経路案内部１６は、例えばスピーカ、ディスプレイ装置、および、これらの制御部から構成されており、制御部１７からの指示に応じて、経路探索部１３で探索された経路に沿った経路案内（具体的には、スピーカからの案内音声の出力およびディスプレイ装置への案内メッセージの表示）を行い、または、経路案内を中止する。なお、経路案内が中止された場合であっても、ディスプレイ装置には、地図および自車位置マークは表示される。この経路案内部１６を構成するディスプレイ装置は、上述した地点表示部１４を構成するディスプレイ装置と共用することができる。
【００２０】
制御部１７は、例えばマイクロコンピュータから構成されており、上述した各構成要素を制御することにより、ナビゲーションシステムの全体を制御する。この制御部１７で行われる処理の詳細は、以下で説明する。
【００２１】
次に、上記のように構成される、この発明の実施の形態１に係るナビゲーションシステムの動作を、自宅の表示可否を制御する場合を例に挙げて説明する。
【００２２】
まず、ユーザは自宅を登録する。すなわち、ユーザは、地点設定部１１を使用して、自宅の住所を入力したり、地図をスクロールさせて自宅の位置を指定したりといった従来のナビゲーションシステムと同様の周知の方法を用いて、自宅を地点登録部１２に登録する。この際、ユーザは、自宅の名称、位置、アイコンおよび付加情報に加え、表示可否の情報を登録する。
【００２３】
次に、ユーザが自宅を目的地として設定する場合の動作を説明する。上述したようにして自宅が地点登録部１２に登録されている状態において、地点登録部１２に、表示可否情報として「表示不可」が登録されているものとすると、ナビゲーションシステムの目的地設定のメニュー画面上では、「自宅」という記号のみが表示される。
【００２４】
具体的には、制御部１７は、地点設定部１１によって設定された地点の地点情報を地点登録部１２から取得し、この取得した地点情報に含まれる表示可否情報に基づき、地点情報を表示不可であると判定した場合に、地点設定部１１で設定された地点の地点情報を非表示にするように地点表示部１４に指示する。これにより、地点表示部１４は、具体的な自宅に関する地点情報を表示しない。
【００２５】
一方、地点登録部１２に、表示可否情報として「表示可」が登録されていると、従来のナビゲーションシステムと同様に、制御部１７は、地点情報を表示するように地点表示部１４に指示する。これに応じて、地点表示部１４は、具体的な自宅に関する地点情報を表示する。
【００２６】
次に、ユーザが目的地を設定してナビゲーションシステムの案内を受けながら走行する場合の動作を説明する。この場合、まず、経路探索が行われる。すなわち、経路探索部１３は、制御部１７からの指示に応答して、出発地（例えば現在地または地点設定部１１で設定された地点）から、地点設定部１１で設定された目的地までの経路を探索し、経路データとして制御部１７に送る。
【００２７】
次いで、経路表示および経路案内が行われる。すなわち、制御部１７は、地点設定部１１によって設定された地点の地点情報を地点登録部１２から取得し、該取得した地点情報に含まれる表示可否情報に基づき、地点情報を表示不可であると判定した場合に、経路探索部１３で探索された目的地までの経路のうち、地点設定部１１で設定された目的地から所定距離の範囲に存在する経路を非表示にするように経路表示部１５に指示する。これにより、図３に示すように、自宅から所定距離（例えば３０ｋｍ）の範囲内の経路は、破線で示すように、非表示とされる。
【００２８】
一方、地点登録部１２に、表示可否情報として「表示可」が登録されていると、従来のナビゲーションシステムと同様に、制御部１７は、全ての経路を表示するように経路表示部１５に指示する。これにより、全ての経路が表示される。
【００２９】
また、制御部１７は、地点登録部１２から取得した地点情報に含まれる表示可否情報に基づき、地点情報を表示不可であると判定した場合に、経路探索部１３で探索された目的地までの経路のうち、地点設定部１１で設定された目的地から所定距離の範囲に存在する経路の案内を中止するように経路案内部１６に指示する。これにより、図３に破線で示す自宅から所定距離（例えば３０ｋｍ）の範囲内の経路では、経路案内が行われない。
【００３０】
一方、地点登録部１２に、表示可否情報として「表示可」が登録されていると、従来のナビゲーションシステムと同様に、制御部１７は、全ての経路で経路案内を行うように経路案内部１６に指示する。これにより、全ての経路で経路案内が行われる。
【００３１】
以上説明したように、この発明の実施の形態１に係るナビゲーションシステムによれば、次の効果を奏する。すなわち、ユーザは、一般に、自宅周辺の地理には明るいので、自宅の近傍の道路の案内は不要である。出先から自宅に帰る際は、自宅周辺のユーザにとって既知のエリアに入るまで案内するだけで十分であり、その後の案内を停止することで個人情報が表示されないようにすることができる。
【００３２】
なお、上述した実施の形態１に係るナビゲーションシステムにおいて、地点設定部１１で設定された目的地から所定距離の範囲を決定する場合に、所定距離は固定値ではなく、例えば単位面積あたりの道路の数を算出することにより、都会であるか田舎であるかを判断し、都会であることが判断された場合は所定距離を短くし、田舎であることが判断された場合は所定距離を長くするように構成することができる。
【００３３】
実施の形態２．
この発明の実施の形態２に係るナビゲーションシステムは、実施の形態１に係るナビゲーションシステムにおいて、自宅から所定距離の範囲に揺らぎを与えるようにしたものである。
【００３４】
図４は、この発明の実施の形態２に係るナビゲーションシステムの構成を示すブロック図である。このナビゲーションシステムは、図１に示した実施の形態１に係るナビゲーションシステムに、乱数発生部１８が追加されて構成されている。乱数発生部１８は、制御部１７からの指示に応じて乱数を発生し、制御部１７に返す。制御部１７は、乱数発生部１８で発生された乱数にしたがって目的地から所定距離の範囲を決定する。
【００３５】
より詳しくは、制御部１７は、地点設定部１１によって設定された地点の地点情報を地点登録部１２から取得し、該取得した地点情報に含まれる表示可否情報に基づき、地点情報を表示不可であると判定した場合に、乱数発生部１８に乱数発生の指示を送る。そして、この指示に応答して、乱数発生部１８で発生された乱数を受け取り、経路探索部１３で探索された目的地までの経路のうち、地点設定部１１で設定された目的地から乱数で示される距離の範囲に存在する経路を非表示にするように経路表示部１５に指示する。
【００３６】
同様に、制御部１７は、地点登録部１２から取得した地点情報に含まれる表示可否情報に基づき、地点情報を表示不可であると判定した場合に、経路探索部１３で探索された目的地までの経路のうち、地点設定部１１で設定された目的地から乱数で示される距離の範囲に存在する経路の案内を中止するように経路案内部１６に指示する。
【００３７】
以上の構成により、経路を非表示にする範囲および経路案内を中止する範囲は、乱数にしたがった可変範囲となり、揺らぎを有する。このように、目的地（自宅）からの直線距離を固定値とせず、乱数による幅を持たせることによって、秘匿された自宅位置の類推を困難にすることができる。
【００３８】
すなわち、上述した実施の形態１に係るナビゲーションシステムでは、様々な方向から経路案内をさせることによって、複数の案内終了地点を確認することができる。これを繰り返すと、複数の案内終了地点から等しい距離に秘匿された自宅位置が存在することを類推することが可能になる。これに対し、実施の形態２に係るナビゲーションシステムによれば、案内終了地点に揺らぎを与えることができるので、中心部の類推が困難になる。その結果、自宅位置が類推される可能性を低くすることができる。
【００３９】
実施の形態３．
この発明の実施の形態３に係るナビゲーションシステムは、実施の形態１に係るナビゲーションシステムにおける自宅から所定距離の範囲の代わりに、案内不要エリアを任意に設定できるようにしたものである。
【００４０】
図５は、この発明の実施の形態３に係るナビゲーションシステムの構成を示すブロック図である。このナビゲーションシステムは、図１に示した実施の形態１に係るナビゲーションシステムに、案内不要エリア設定部１９が追加されて構成されている。
【００４１】
案内不要エリア設定部１９は、実施の形態１に係るナビゲーションシステムにおける自宅から所定距離の範囲の代わりに、地図上において任意の形状を有する案内不要エリアを設定する。この案内不要エリア設定部１９で設定された案内不要エリアを表すデータは制御部１７に送られる。制御部１７は、案内不要エリア設定部１９で設定された案内不要エリアを目的地から所定距離の範囲として処理を行う。
【００４２】
より詳しくは、制御部１７は、地点設定部１１によって設定された地点の地点情報を地点登録部１２から取得し、該取得した地点情報に含まれる表示可否情報に基づき、地点情報を表示不可であると判定した場合に、案内不要エリア設定部１９に対して案内不要エリアを設定するように指示する。そして、この指示に応答して、案内不要エリア設定部１９で案内不要エリアが設定されると、この設定された案内不要エリアを表すデータを受け取り、経路探索部１３で探索された目的地までの経路のうち、案内不要エリアに存在する経路を非表示にするように経路表示部１５に指示する。
【００４３】
同様に、制御部１７は、地点登録部１２から取得した地点情報に含まれる表示可否情報に基づき、地点情報を表示不可であると判定した場合に、経路探索部１３で探索された目的地までの経路のうち、地点設定部１１で設定された目的地から案内不要エリアに存在する経路の案内を中止するように経路案内部１６に指示する。
【００４４】
以上の構成により、経路を非表示にする範囲および経路案内を中止する範囲は、案内不要エリアとしてユーザが任意に設定することにより、自宅位置が複数の案内終了地点で示されるエリアの中心に存在しないように設定することができ、秘匿された自宅位置の類推を困難にすることができる。
【００４５】
なお、上述した実施の形態１〜実施の形態３に係るナビゲーションシステムにおいては、地点登録部１２に自宅が登録されており、この自宅が目的地として設定された場合について説明したが、自宅以外、例えば友人宅、実家などといったユーザに関連のある地点が地点登録部１２に登録されており、この自宅以外が目的地として設定された場合についても、実施の形態１〜実施の形態３と同様の表示制御を行うように構成することができる。この構成の場合も、自宅以外の位置に関する情報を秘匿することができる。
【００４６】
実施の形態４．
この発明の実施の形態４に係るナビゲーションシステムは、実施の形態１に係るナビゲーションシステムにおいて、地点登録部１２に登録されている地点情報を編集可能にしたものである。
【００４７】
図６は、この発明の実施の形態４に係るナビゲーションシステムの構成を示すブロック図である。このナビゲーションシステムは、図１に示した実施の形態１に係るナビゲーションシステムに、パスワード入力部２０および地点情報編集部２１が追加されて構成されている。パスワード入力部２０は、例えばリモートコントローラ、タッチパネルまたはキーボードといった入力装置から構成されており、ユーザがパスワードを入力するために使用される。このパスワード入力部２０で入力されたパスワードは制御部１７に送られる。
【００４８】
地点情報編集部２１は、図示しない入力装置からの指示に応じて、地点登録部１２に登録されている地点情報を編集する。この地点情報編集部２１により、地点情報を構成する「名称」、「位置」、「アイコン」、「付加」および「表示可否」の情報を編集することが可能になる。
【００４９】
上記のように構成されるナビゲーションシステムにおいて、制御部１７は、パスワード入力部２０からパスワードが入力されると、パスワードの正当性をチェックする。そして、パスワードが正当であることを判断した場合に、地点情報編集部２１を起動し、地点登録部１２に登録されている地点情報の編集を可能にする。
【００５０】
以上説明したように、実施の形態４に係るナビゲーションシステムによれば、パスワードを知っているユーザは、所望のタイミングで、地点情報に含まれる表示可否情報を、表示不可から表示可に、または、表示可から表示不可に変更することができるので、地点登録部１２に登録されている地点情報によって示される地点の秘匿およびその解除を自由に行うことができる。その一方、パスワードを知らないユーザは、表示可否情報を変更することができないので、自宅位置の秘匿性が担保される。
【００５１】
実施の形態５．
この発明の実施の形態５に係るナビゲーションシステムは、実施の形態１に係るナビゲーションシステムにおいて、携帯電話のＢｌｕｅｔｏｏｔｈ（登録商標）機能で使用されるアドレスが予め登録されたアドレスであれば、地点登録部１２に登録されている地点情報の表示可否情報を表示可として処理するようにしたものである。
【００５２】
図７は、この発明の実施の形態５に係るナビゲーションシステムの構成を示すブロック図である。このナビゲーションシステムは、図１に示した実施の形態１に係るナビゲーションシステムに、携帯電話接続部２２が追加されて構成されている。
【００５３】
携帯電話接続部２２は、Ｂｌｕｅｔｏｏｔｈ機能を有する携帯電話２３との間でＢｌｕｅｔｏｏｔｈによる通信を行う。また、携帯電話接続部２２は、携帯電話２３から、Ｂｌｕｅｔｏｏｔｈ機能で使用されるアドレスを取得する。この携帯電話接続部２２で取得されたアドレスは、制御部１７に送られる。
【００５４】
上記のように構成されるナビゲーションシステムにおいて、制御部１７は、携帯電話接続部２２からＢｌｕｅｔｏｏｔｈ機能で使用されるアドレスを取得し、そのアドレスが予め自己の内部に登録されているアドレスと一致するかどうかを調べる。そして一致することを判断した場合に、地点登録部１２に登録されている地点情報に含まれる表示可否情報を表示可として、つまり、秘匿性を解除して、上述した実施の形態１〜実施の形態３に係るナビゲーションシステムで説明した処理を実行する。
【００５５】
以上説明したように、実施の形態５に係るナビゲーションシステムによれば、携帯電話２３のＢｌｕｅｔｏｏｔｈ機能で使用されるアドレスが予め登録されているアドレスに一致した場合に、地点登録部１２に登録されている地点情報によって示される表示可否情報が表示可として扱われるので、携帯電話２３を、携帯電話接続部２２を介して接続することにより、秘匿性を解除することができる。その一方、Ｂｌｕｅｔｏｏｔｈ機能で使用されるアドレスが予め記憶されているアドレスと一致しない場合は、表示可否情報にしたがって自宅位置および経路の表示ならびに経路案内が制御されるので、自宅位置の秘匿性を担保することができる。
【００５６】
なお、上述した実施の形態４に係るナビゲーションシステムにおいて、パスワードによる認証を行う代わりに、Ｂｌｕｅｔｏｏｔｈ機能で使用されるアドレスで正当性をチェックし、正当であることが判断された場合に、地点登録部１２に登録されている地点情報を編集可能にするように構成することもできる。
【００５７】
以上のように、この発明に係るナビゲーションシステムは、地点の表示の可否を規定する表示可否情報を含む地点情報を登録しておくことで、煩雑な操作を行うことなく、内部に登録されている個人情報を保護することができるので、車両に搭載されるナビゲーションシステムなどに用いるのに適している。
【手続補正２】
【補正対象書類名】特許請求の範囲
【補正対象項目名】全文
【補正方法】変更
【補正の内容】
【特許請求の範囲】
【請求項１】
地点を設定する地点設定部と、
前記地点設定部で設定された地点までの経路を探索する経路探索部と、
前記地点設定部で設定された地点を表す地点情報であって、該地点の表示の可否を規定する表示可否情報を含む地点情報が登録される地点登録部と、
前記地点設定部によって設定された地点の地点情報を前記地点登録部から取得し、該取得した地点情報に含まれる表示可否情報に基づき、地点情報の表示を可否制御し、地点情報を表示不可であるとした場合に、前記経路探索部で探索された地点までの経路のうち、  前記地点設定部で設定された地点から所定距離の範囲内に存在する経路を非表示にするように制御する制御部とを備えたナビゲーションシステム。
【請求項２】
前記経路探索部で探索された経路に沿って案内を行う経路案内部を備え、
制御部は、地点設定部によって設定された地点の地点情報を地点登録部から取得し、該取得した地点情報に含まれる表示可否情報に基づき、地点情報を表示不可であるとした場合に、前記経路探索部で探索された地点までの経路のうち、前記地点設定部で設定された地点から所定距離の範囲に存在する経路の案内を行わないように前記経路案内部に指示することを特徴とする請求項１記載のナビゲーションシステム。
【請求項３】
乱数を発生させる乱数発生部を備え、
制御部は、前記乱数発生部で発生された乱数にしたがって地点から所定距離の範囲を決定することを特徴とする請求項１記載のナビゲーションシステム。
【請求項４】
案内不要エリアを設定する案内不要エリア設定部を備え、
制御部は、前記案内不要エリア設定部による設定にしたがって、目的地から所定距離の範囲を決定することを特徴とする請求項１記載のナビゲーションシステム。
【請求項５】
地点登録部に登録される地点情報は、自宅または自宅以外の地点を表す情報であることを特徴とする請求項１記載のナビゲーションシステム。
【請求項６】
パスワードを入力するパスワード入力部と、
地点登録部に登録されている地点情報を編集する地点情報編集部とを備え、
制御部は、前記パスワード入力部から入力されたパスワードが正当である場合に、前記地点情報編集部による編集を可能にする
ことを特徴とする請求項１記載のナビゲーションシステム。
【請求項７】
地点を設定する地点設定部と、
前記地点設定部で設定された地点を表す地点情報であって、該地点の表示の可否を規定する表示可否情報を含む地点情報が登録される地点登録部と、
携帯電話を接続する携帯電話接続部と、
前記地点設定部によって設定された地点の地点情報を前記地点登録部から取得し、該取得した地点情報に含まれる表示可否情報に基づき、地点情報の表示を可否制御し、前記携帯電話接続部に接続された携帯電話が予め登録された携帯電話である場合は、前記地点設定部によって設定された地点に対応する地点情報の表示を常に可とするナビゲーションシステム。
【請求項８】
地点設定部で設定された地点までの経路を探索する経路探索部と、
制御部は、前記地点設定部によって設定された地点の地点情報を地点登録部から取得し、該取得した地点情報に含まれる表示可否情報に基づき、地点情報を表示不可であるとした場合に、前記経路探索部で探索された地点までの経路のうち、前記地点設定部で設定された地点から所定距離の範囲内に存在する経路を非表示にするように制御することを特徴とする請求項７記載のナビゲーションシステム。
【国際調査報告】
2009016783.tif 000010
2009016783.tif 000011
2009016783.tif 000012
2009016783.tif 000013